(57)【要約】【課題】部品点数を削減しながら、スイッチケースに油煙や埃が付着することを防止する。【解決手段】換気扇１は、枠状に形成されたフレーム２と、フレーム２に取り付けられたモータ４と、モータ４に回転可能に保持された羽根車５と、モータ４への通電状態を切り替える運転スイッチ３０を収納したスイッチケース２０と、スイッチケース２０の外面に取り付けられた金属カバー５０とを備える。そして、スイッチケース２０は、フレーム２の角部において、フレーム２及び金属カバー５０により囲われた空間内に配置される。【選択図】図１
2015014408.tif 000002
【特許請求の範囲】
【請求項１】
枠状に形成されたフレームと、
前記フレームに取り付けられたモータと、
前記モータに回転可能に保持された羽根車と、
前記モータへの通電状態を切り替える運転スイッチを収納したスイッチケースと、
前記スイッチケースの外面に取り付けられた金属カバーと
を備え、
前記スイッチケースは、前記フレームの角部であって、前記フレーム及び前記金属カバーにより囲われた空間内に配置されたことを特徴とする換気扇。
【請求項２】
前記スイッチケースは、
前記運転スイッチを収納するスイッチ収納部と、
前記スイッチ収納部に連結されており、前記モータに接続される電気部品を収納する部品収納部とを有し、
前記部品収納部側から前記フレームの角部に挿入され固定されるものであって、
前記金属カバーは、
前記スイッチ収納部の外面全体を覆う第１カバーと、
前記部品収納部の外面に取り付けられ、縁部が前記フレームに接触する第２カバーと
を有することを特徴とする請求項１に記載の換気扇。
【請求項３】
前記スイッチ収納部の外面には凸部が形成されており、前記第１カバーには前記凸部が係止される係止穴が形成されていることを特徴とする請求項２に記載の換気扇。
【請求項４】
前記スイッチケースは、前記スイッチ収納部の前記運転スイッチを収納するための開口と前記部品収納部の前記電気部品を収納するための開口とが対向するように折り曲げられた状態で前記フレームに設置されるものであり、
前記部品収納部は、前記フレームの角部内に設置されるものであり、
前記スイッチ収納部は、前記部品収納部よりも大きい外形を有するものであって、前記スイッチ収納部の開口が前記フレームの縁部に形成されたフランジ部に対向するように設置されるものであることを特徴とする請求項２または３に記載の換気扇。
【請求項５】
前記フレームは、縁部にそれぞれ設けられた複数のフランジ部と、隣接する前記フランジ部を連結するコーナーピースとを有するものであり、
前記スイッチケースは、前記コーナーピースに固定されていることを特徴とする請求項１〜４のいずれか１項に記載の換気扇。
【請求項６】
前記運転スイッチは、外面に前記モータに結線される接続端子を備えているとともに、結線された前記接続端子を覆う配線カバーが取り付けられた状態で前記スイッチケースに収容されるものであり、
前記配線カバーには、前記運転スイッチの結線部分を確認するための覗き窓が形成されていることを特徴とする請求項１〜５のいずれか１項に記載の換気扇。
【発明の詳細な説明】
【技術分野】
【０００１】
本発明は、引き紐に接続されたスイッチを有する換気扇に関するものである。
【背景技術】
【０００２】
従来の換気扇において、スイッチに連結され垂下された引き紐の引張操作によって運転の開始及び停止が切り替わる。この引き紐に連結されたスイッチは、壁面に取り付けられたフレームの前面の下部にスイッチケースに収納された状態で取り付けられている（例えば特許文献１参照）。具体的には、引用文献１において、難燃材料で一体成形された有底の蓋付き容器状のスイッチケースがフレームに取り付けられており、スイッチケース内に運転スイッチとコンデンサとが収納された構造を有している。
【先行技術文献】
【特許文献】
【０００３】
【特許文献１】実公平５−４８０１６号公報（図１、図２）
【発明の概要】
【発明が解決しようとする課題】
【０００４】
特許文献１のように、引き紐式のスイッチがスイッチケース内に収容され一様に覆われていても、換気扇が排気する油煙や室内の埃等が付着し、可動レバーの動作が重くなる、もしくはスイッチが故障する場合がある。
【０００５】
本発明は、上記に鑑みてなされたものであって、可動レバーの動作が良く、スイッチの故障が少ない換気扇を提供することを目的とする。
【課題を解決するための手段】
【０００６】
本発明の換気扇は、枠状に形成されたフレームと、フレームに取り付けられたモータと、モータに回転可能に保持された羽根車と、モータへの通電状態を切り替える運転スイッチを収納したスイッチケースと、スイッチケースの外面に取り付けられた金属カバーとを備え、スイッチケースは、フレームの角部であって、フレーム及び金属カバーにより囲われた空間内に配置されたものである。
【発明の効果】
【０００７】
本発明の換気扇によれば、スイッチケースがフレーム及び金属カバーに囲われた状態でフレームに設置されるため、フレームをカバーとして利用し部品点数を削除しながら、スイッチケースに油煙や埃等が付着するのを防止し、スイッチレバーの不具合の発生やスイッチの故障の発生を防止することができる。
【図面の簡単な説明】
【０００８】
【図１】本発明に係る換気扇の実施形態を示す設置状態の分解斜視図である。
【図２】図１の換気扇におけるフレームの一例を示す斜視図である。
【図３】図１及び図２のスイッチユニットの構成を示す斜視図である。
【図４】図１及び図２のスイッチユニットの構成を示す斜視図である。
【図５】図１及び図２のスイッチユニットの構成を示す分解斜視図である。
【図６】図３〜図５のスイッチケースと電気部品との構成を示す斜視図である。
【図７】図３〜図５の運転スイッチの一例を示す斜視図である。
【図８】図７の運転スイッチが結線された状態を示す平面図である。
【図９】図７の運転スイッチが結線された状態を示す回路図である。
【図１０】配線カバーの一例を示す斜視図である。
【図１１】図１０の配線カバーが図８の運転スイッチに取り付けられた状態を示す斜視図である。
【図１２】図１０の配線カバーが図８の運転スイッチに取り付けられた状態を示す平面図である。
【図１３】スイッチケースに運転スイッチ及び電気部品が収納された状態を示す平面図である。
【図１４】スイッチユニットがフレームに取り付けられる様子を示す模式図である。
【図１５】従来の換気扇の運転スイッチ及びスイッチケースの一例を示す斜視図である。
【発明を実施するための形態】
【０００９】
以下、図面を参照しながら換気扇の実施形態について説明する。図１は、本発明の実施形態に係る換気扇の外観を示す室内側斜め上方より見た分解斜視図である。図１の換気扇１は、室内側の空気と室外側の空気との入れ替え（換気）を行うものであって、フレーム２、オリフィス３、モータ４、羽根車５、シャッター７、スイッチユニット１０を備えている。フレーム２は、壁面に形成された壁穴等に据え付けられるものであって、フレーム２の前面にオリフィス３が着脱自在に取り付けられている。オリフィス３は、例えば合成樹脂等で形成されており、羽根車５が位置決めされるベルマウス形状等の風洞穴３ａを有している。なお、オリフィス３には単に風洞穴３ａが設けられている場合について例示しているが、用途によって風洞穴３ａに例えばフィルターもしくはメッシュガード等が取り付けられたものであってもよい。
【００１０】
図２は、図１の換気扇１におけるフレーム２の一例を示す斜視図である。フレーム２は、例えば金属鋼板の端部が互いに接続されて枠状に形成されたものであって、換気扇１全体を支持する強度を有している。具体的には、フレーム２は上板部２Ｕ、底面部２Ｄ及び側板部２Ｓを備えており、室内側の縁部にはフランジ部２Ｆが設けられており、室外側にはシャッター７が配置されている。なお、図１及び図２において、フレーム２が略矩形状の複数の金属鋼板で接続された金属枠で形成された一例について説明したが、特にこれに限定するものではない。例えば、形状は円形状であってもよく、材質は合成樹脂等で形成されているものであってもよい。
【００１１】
フレーム２は、モータ４を保持する固定足２ａを有しており、固定足２ａの両端はそれぞれフレーム２の上板部２Ｕ及び底面部２Ｄにネジあるいはカシメなどで連結されている。固定足２ａは、ほぼ直線状に縦方向（矢印Ｚ方向）に延びているとともに、モータ４の取付部分にモータ４の外形に沿って湾曲した湾曲部を有している。固定足２ａは、強度を上げるために箱曲げされており、フレーム２の設置時のひねりや傾きなどで変形することを防止するとともに、モータ４あるいは羽根車５より振動や騒音が発生しても、壁や空気に振動が伝達することを防止するようになっている。
【００１２】
モータ４は、フレーム２の固定足２ａにネジ等で固定されており、モータ４の駆動により回転するシャフト４ａを備えている。モータ４は、例えば始動時にコンデンサが接続されるコンデンサ始動式の交流モータからなっており、モータ４に通電することで内部のコイルが磁界を発生し回転子が回転する。シャフト４ａは回転子の中央に挿入されており、回転子の回転とともにシャフト４ａが回転するようになっている。
【００１３】
羽根車５は、例えば軸流型のプロペラ羽根からなっており、ボスの外周に複数の羽根が固定された構造を有している。羽根車５は、シャフト４ａに対しスピンナー６により着脱自在に取り付けられている。そして、モータ４が駆動することにより羽根車５がシャフト４ａとともに回転し、一定方向の風量の風が流れる通風路が形成される。具体的には、シャフト４ａの先端にはネジ部が形成されており、スピンナー６の中央部にはナットが設けられている。そして、羽根車５がシャフト４ａに挿入された後にスピンナー６がシャフト４ａの先端に締め付けられることで羽根車５がシャフト４ａに固定される。なお、スピンナー６の締め付けは、羽根車５の回転する方向と逆方向で締めており、羽根車５が回転することでスピンナー６の緩みを防止している。このように、羽根車５を着脱可能にすることで、羽根車５の着脱が容易で羽根車５のみを外して清掃することができる。したがって、換気扇１が壁面に設置された状態において、フレーム２およびオリフィス３を取り外さなくても容易に清掃等メンテナンスができる。
【００１４】
シャッター７は、フレーム２の室外側の開口に取り付けられており、幅方向（矢印Ｘ方向）に延びる直方形状の複数の金属鋼板からなっている。シャッター７は、フレーム２の側板部２Ｓに揺動可能に取り付けられたシャッター連結板８に接続されており、シャッター連結板８は引き紐Ｗ１に接続されている。そして、引き紐Ｗ１が上下動した際にシャッター連結板８が揺動し、これに連動してシャッター７が開閉するようになっている。このようにシャッター７を備えることで、換気扇１の停止時に室外側からの外風などの浸入を低減するとともに、室外と室内との間の音及び光を遮蔽することができる。
【００１５】
なお、シャッター７の開閉は引き紐Ｗ２と連動して開放状態と閉鎖状態に切り替えられる場合について例示しているが、小形のモータなどで開く電気式のもの、あるいは羽根車５の風圧で開く風圧式のものであってもよい。また、シャッター７は金属鋼板から形成される場合について例示しているが、合成樹脂等から形成されたものであってもよい。さらに、シャッター７は、閉鎖状態において外風でシャッター７が振動しないような構造を有している。
【００１６】
スイッチユニット１０は、使用者による引き紐Ｗ２の操作によりモータ４への通電状態と非通電状態とを切り替えるものである。そして、スイッチユニット１０が通電状態のときにシャッター連結板８を介してシャッター７が開放状態となり、非通電状態のときにシャッター連結板８を介してシャッター７が閉鎖状態になる。つまり、引き紐Ｗ１、Ｗ２が引っ張られるのに応じて、シャッター７は、スイッチユニット１０の通電状態及び非通電状態に連動して開放状態と閉鎖状態とが交互に切り替わるように構成されている。
【００１７】
図３及び図４は、図１及び図２のスイッチユニット１０の構成を示す斜視図、図５は、図１及び図２のスイッチユニット１０の構成を示す分解斜視図であり、図１〜図５を参照してスイッチユニット１０について説明する。スイッチユニット１０は、スイッチケース２０、運転スイッチ３０、金属カバー５０を備えている。
【００１８】
図６は、図３〜図５のスイッチケース２０と電気部品との構成を示す斜視図である。スイッチケース２０は、例えば難燃性樹脂からなるものであって、運転スイッチ３０を収容するスイッチ収納部２１と、モータ４を駆動させるためのコンデンサＣ等の電気部品を収納する部品収納部２２とを有している。スイッチ収納部２１の外形（幅（矢印Ｘ方向）及び高さ（矢印Ｚ方向））は部品収納部２２よりも大きく形成されている。スイッチ収納部２１及び部品収納部２２は、それぞれ箱状に形成されており、運転スイッチ３０及びコンデンサＣを収納するための開口を有している。
【００１９】
スイッチ収納部２１と部品収納部２２とは、開口の縁部においてヒンジ部２３により連結されており、スイッチ収納部２１と部品収納部２２との開口が対向するように折り曲げられるようになっている。また、スイッチ収納部２１側には爪部２４が設けられており、部品収納部２２側には凸部２５が設けられている。そして、部品収納部２２がスイッチ収納部２１側に折り曲げられて、爪部２４と凸部２５とが係合して組み立てられることにより、運転スイッチ３０及びコンデンサＣがスイッチケース２０内に固定される。
【００２０】
図７は図３〜図５のスイッチユニット１０における運転スイッチ３０の一例を示す斜視図、図８は図７の運転スイッチが結線された状態を示す平面図、図９は図７の運転スイッチが結線された状態を示す回路図であり、図７〜図９を参照して運転スイッチ３０について説明する。運転スイッチ３０は、モータへの通電状態を切り替えるものであって、スイッチ本体３１、可動レバー３２、複数の接続端子３３ａ〜３３ｃを有している。複数の接続端子３３ａ〜３３ｃは、スイッチ本体３１の外面に設けられており、スイッチ本体３１の内部において接続端子３３ａと接続端子３３ｃ及び接続端子３３ｂと接続端子３３ｃの電気的接続が切り替えられる。
【００２１】
ここで、図９に示すように、モータ４は部品収納部２２内のコンデンサＣに電気的に接続されているとともに、電源プラグ付きコードＬＷ１を介して接続端子３３ａに半田付けされ電気的に接続されている。一方、コンセントプラグが電源プラグ付きコードＬＷ１を介して接続端子３３ｂに半田付けされ結線されている。なお、コンセントプラグからの別のリード線ＬＷ２はモータ４から導出されるリード線に接続されている。また、スイッチ本体３１の表面には接続端子３３ａ〜３３ｃに隣接する位置に接続端子３３ａ〜３３ｃに結線した電源プラグ付きコードＬＷ１及びリード線ＬＷ２をガイドするためのガイド部３４が設けられている。
【００２２】
可動レバー３２は、スイッチ本体３１に対しスライド可能に取り付けられており、可動レバー３２の上下動により上述した各接続端子３３ａ〜３３ｃの電気的接続が切り替えられるようになっている。なお、可動レバー３２の一端側には引き紐Ｗ１が取り付けられ、他端側には引き紐Ｗ２が取り付けられる（図１参照）。そして、使用者が引き紐Ｗ２を操作することにより可動レバー３２が上下にスライドし、スイッチ本体３１内における電気的接続が切り替えられる。つまり、電源プラグ付きコードＬＷ１と電源プラグ付きコードＬＷ１との間の電気的な接続状態が、運転スイッチ３０において導通状態と非導通状態である断電状態とに交互に切り替えられる。これにより、コンセントに差し込まれたプラグから供給される電力の供給をするか否かを制御することができる。
【００２３】
この運転スイッチ３０は、配線カバー４０に取り付けられた状態でスイッチ収納部２１に収容される。図１０は配線カバー４０の一例を示す斜視図、図１１は図１０の配線カバー４０が運転スイッチ３０に取り付けられた状態を示す斜視図、図１２は図１０の配線カバー４０が運転スイッチ３０に取り付けられた状態を示す平面図、図１３はスイッチケースに運転スイッチ及び電気部品が収納された状態を示す平面図である。図１０〜図１３の配線カバー４０は、スイッチ本体３１の接続端子３３ａ〜３３ｃが設けられている外面を覆うベース４１と、ベース４１から運転スイッチ３０の厚み方向に向かって延びた、スイッチ本体３１を保持するための鉤状の複数の爪部４２とを備えている。
【００２４】
ベース４１は、スイッチ本体３１との間に段差４３を介して対向しており、ベース４１とスイッチ本体３１との間において各電源プラグ付きコードＬＷ１及びリード線ＬＷ２が配置されるとともに、ベース４１及びガイド部３４により各電源プラグ付きコードＬＷ１及びリード線ＬＷ２の移動が規制されている。また、ベース４１には、結線状態を確認することのできる覗き窓４１ａが設けられており、使用者は覗き窓４１ａから結線状態を確認することができる。さらに、配線カバー４０は、電源プラグ付きコードＬＷ１の張力止めコードクリップ４５をネジで取り付けることのできる固定部４４を備えている。
【００２５】
このように、運転スイッチ３０が配線カバー４０に取り付けられた状態でスイッチ収納部２１に収納されることにより、電源プラグ付きコードＬＷ１及びリード線ＬＷ２がスイッチ収納部２１内において動かないように固定することができ、組立作業時の取り回しが容易になる。すなわち、電源プラグ付きコードＬＷ１及びリード線ＬＷ２が半田付けされた状態で運転スイッチ３０のみがスイッチ収納部２１に収納された場合、結線作業中に電源プラグ付きコードＬＷ１及びリード線ＬＷ２がガイド部３４の間からはずれることが多く、作業効率が悪くなる場合がある。そこで、配線カバー４０を用いて運転スイッチ３０の結線状態を保持させた後にスイッチ収納部２１に収納することにより、結線作業時の取り回しが容易になり作業効率の向上を図ることができる。さらに、配線カバー４０を取り付けた後でも、覗き窓４１ａから結線状態を確認することができるため、結線作業の効率を向上させることができる。
【００２６】
次に、図１〜図９を参照して金属カバー５０について説明する。金属カバー５０は、スイッチケース２０の外側を被覆するものであって、スイッチケース２０はフレーム２及び金属カバー５０により囲われた空間内に配置されることになる。金属カバー５０は、スイッチ収納部２１側を被覆する第１カバー５１と、部品収納部２２側を被覆する第２カバー５２とを有している。第１カバー５１は、スイッチ収納部２１の外面全体を覆うようにスイッチ収納部２１に取り付けられている。ここで、スイッチ収納部２１の外面には凸部２１ａが設けられており、第１カバー５１には係止穴５１ａが設けられている。そして、第１カバー５１の係止穴５１ａにスイッチ収納部２１の外面には凸部２１ａが係合することにより仮固定される。これにより、スイッチケース２０がフレーム２に取り付けられる際に、第１カバー５１がスイッチ収納部２１から脱落するのを防止することができる。
【００２７】
一方、第２カバー５２は部品収納部２２に外面の一部を覆うように部品収納部２２に取り付けられている。具体的には、第２カバー５２は、部品収納部２２のフレーム２に対向する側面２２ａ及び底面２２ｂ（図４参照）は被覆せずに、部品収納部２２の上面、側面及び背面の３つの面を被覆する。この第２カバー５２はスイッチケース２０に対しねじ等により固定されている。
【００２８】
図１４はスイッチユニット１０がフレーム２に取り付けられる様子を示す模式図である。図１４に示すように、スイッチユニット１０は、スイッチケース２０に金属カバー５０が取り付けられた状態で、部品収納部２２側からフレーム２の角部に対し挿入される。そして、図２に示すように、スイッチユニット１０は、部品収納部２２がフレーム２内の角部に位置決めされるとともに、スイッチ収納部２１の開口がフランジ部２Ｆに対向するように位置決めされる。言い換えれば、スイッチ収納部２１及び運転スイッチ３０は、フレーム２よりも外側に配置されることになり、使用者による引き紐Ｗ２の操作が抵抗なく容易に行うことができるようになる。
【００２９】
ここで、フレーム２は隣接するフランジ部２Ｆ同士を連結するコーナーピース６１を有するものであり、コーナーピース６１には取付穴６１ａが設けられている。そして、スイッチユニット１０が上述した位置に位置決めされた際、スイッチケース２０及び第１カバー５１の係止片２６、５６がコーナーピース６１の取付穴６１ａに位置決めされる。この係止片２６、５６と取付穴６１ａとがねじ等により固定されることにより、スイッチユニット１０がフレーム２に固定される。
【００３０】
このとき、第１カバー５１の縁部はフランジ部２Ｆに接触しており、スイッチ収納部２１はフレーム２及び第１カバー５１により一様に覆われた状態になっている。同様に、第２カバー５２の縁部はフレーム２に接触しており、部品収納部２２はフレーム２及び第２カバー５２により一様に覆われた状態になっている。すなわち、フレーム２の側板部２Ｓと底面部２Ｄ、さらにはフランジ部２Ｆはスイッチケース２０のカバーの一部として利用されている。
【００３１】
このように、スイッチケース２０は、フレーム２及び金属カバー５０により覆われた構造を有しているため、油煙や室内の埃によるスイッチの故障や動作の不具合の発生を防止することができる。すなわち、従来の換気扇では、図１５に示すように、引き紐式の運転スイッチ３０を蓋１２２を有するスイッチケース１２０により一様に覆っているが、換気扇１が排気する油煙や室内の埃が付着し、可動レバー３２の動作が重くなることや運転スイッチ３０が故障する等の不具合が生じる場合がある。一方、換気扇１においてはスイッチケース２０の外面に金属カバー５０を取り付けるとともに、フレーム２の角部に設置することにより、スイッチケース２０が金属カバー５０とフレーム２の側面とに囲われた領域に配置されることになる。このため、油煙や室内の埃等がスイッチケース２０に付着するのを防止することができる。
【００３２】
特に、図７〜図１０に示すように、金属カバー５０は、スイッチケース２０のうちフレーム２に対向する２つの面は覆わず、フレーム２を金属カバーの一部として利用しているため、スイッチケース２０の外面全体を金属カバー５０で一様に覆う必要がなく、部品点数を削減することができる。
【００３３】
本発明の実施形態は、上記実施形態に限定されない。たとえば、第２カバーは、スイッチカバーに取り付けられた場合について例示しているが、設置時にスイッチケース２０を囲うものであればその構造を問わず、例えばフレーム２側に取り付けられており、スイッチケース２０の部品収納部２２が第２カバー５２に挿入されるようにしてもよい。
また、スイッチケース及び金属カバー５０は外形が矩形状に形成された場合について例示しているが、曲面状に形成されたものであってもよい。この場合であっても、スイッチケース２０は、フレーム２の角部において側板部２Ｓと底面部２Ｄと金属カバー５０とにより囲まれた閉塞空間に収容されることになる。
【符号の説明】
【００３４】
１  換気扇、２  フレーム、２Ｄ  底面部、２Ｆ  フランジ部、２Ｓ  側板部、２Ｕ  上板部、２ａ  固定足、３  オリフィス、３ａ  風洞穴、４  モータ、４ａ  シャフト、５  羽根車、６  スピンナー、７  シャッター、８  シャッター連結板、１０  スイッチユニット、２０、１２０  スイッチケース、２１  スイッチ収納部、２１ａ  凸部、２２  部品収納部、２２ａ  側面、２２ｂ  底面、２３  ヒンジ部、２４  爪部、２５  凸部、２６、５６  係止片、３０  運転スイッチ、３１  スイッチ本体、３２  可動レバー、３３ａ、３３ｂ、３３ｃ  接続端子、３４  ガイド部、４０  配線カバー、４１  ベース、４１ａ  覗き窓、４２  爪部、４３  段差、４４  固定部、４５  コードクリップ、５０  金属カバー、５１  第１カバー、５１ａ  係止穴、５２  第２カバー、６１  コーナーピース、６１ａ  取付穴、１２２  蓋、Ｃ  コンデンサ（電気部品）、ＬＷ１  電源プラグ付きコード、ＬＷ２  リード線、Ｗ１、Ｗ２  引き紐。
【図１】
2015014408.tif 000003
【図２】
2015014408.tif 000004
【図３】
2015014408.tif 000005
【図４】
2015014408.tif 000006
【図５】
2015014408.tif 000007
【図６】
2015014408.tif 000008
【図７】
2015014408.tif 000009
【図８】
2015014408.tif 000010
【図９】
2015014408.tif 000011
【図１０】
2015014408.tif 000012
【図１１】
2015014408.tif 000013
【図１２】
2015014408.tif 000014
【図１３】
2015014408.tif 000015
【図１４】
2015014408.tif 000016
【図１５】
2015014408.tif 000017